(57)【要約】【課題】冷却対象を取り外すときに容易に取り外しが出来るように冷却対象に冷却容器を接触、非接触の２状態を容易に実現しなければならない。【解決手段】冷却対象を容易に取り外すことを出来るようにするために、冷却対象に密着する冷却容器を収縮、変形可能な素材で作成しそこへ冷却液をポンプを使用し充填させる。この排水側に設けた弁を狭くし、供給側もポンプを動作させることにより冷却容器へ冷却液を供給する冷却容器に水圧がかかり、冷却容器が膨張する。この状態で押さえ板により冷却容器自身を変形させ冷却対象に密着させる。冷却対象を取り外すときには冷却容器を押さえていた押さえ板を解除すると冷却容器が元の形状に戻る。これにより冷却時に密着していた冷却対象を取り外すことが出来る。【選択図】  図１
2004353988.tif 000002
【特許請求の範囲】
【請求項１】
冷却が必要な対象を均等に冷却する、冷却対象が取り外し容易な冷却方法。
【請求項２】
冷却対象の取り外しに際し、冷却時に密着している冷却容器を収縮することにより容易に冷却対象を取り外す、冷却対象が取り外し容易な冷却方法。
【発明の詳細な説明】
【０００１】
【発明の属する技術分野】
本発明は、液体を流す冷却容器を冷却対象に接触させ、その液体に熱を伝導し別の場所へ液体を移動して冷却し、冷却対象と冷却容器を容易に接触、非接触の状態に出来る液冷方式に関する。
【０００２】
【従来の技術】
冷却対象に冷却媒体を密着させて冷却を行うが、冷却対象と冷却媒体を分離するときに、装置を分解しないと冷却対象と冷却媒体を分離することが出来なかった（特許文献１）。
【０００３】
【特許文献１】
特開２００１−１１１２７９号公報
【０００４】
【発明が解決しようとする課題】
冷却時には冷却容器は冷却対象に密着しているが、冷却対象が障害を起こし情報処理装置の電源を入れたまま冷却対象を取り外すときには、冷却容器の密着状態を解除し冷却対象を取り外すことが出来る状態にしなければならない。
【０００５】
【課題を解決するための手段】
冷却対象を容易に取り外すことを出来るようにするために、冷却対象に密着する冷却容器を収縮可能な素材で作成し、そこへ冷却液をポンプにて充填させる。この冷却容器へ冷却液を供給するポンプと冷却容器の先に仕切り弁を設け、この弁を閉じることにより排水するポンプのから冷却容器に水圧がかかり、冷却容器が膨張する。このとき冷却容器に押さえ板により外力を加え、変形させることにより冷却対象に密着可能させる。冷却対象を取り外すときには押さえ板で押さえることをやめ、変形させていた冷却容器を元の形状に戻ことにより冷却対象に密着していた冷却容器を冷却対象から離すことが出来る。よって、冷却時に密着していた冷却対象が解放され取り外すことが出来る。
【０００６】
【発明の実施の形態】
以下本発明の実施例を図１、図２、図３、図４により説明する。
【０００７】
図１は液体による冷却構造を上から見た図である。同図において（１）は排水用水量調節弁、（２）は吸水用ポンプ、（３）は導水用パイプ、（４）は冷却対象、（５）は冷却容器、（６）は排水用集合パイプ、（７）は排水パイプ、（８）は導水用集合パイプ、（９）は冷却フィン、（１０）は冷却ファン、（１１）はリザーバータンク、（１３）は吸水用水量調節弁、（１４）は排水用ポンプを表している。図２はリザーバータンクの外観を表している。同図において（１１）はリザーバータンク、（１２）は冷却液を表している。図３、図４は冷却構造を正面から見た図で（１３）は押さえ板を表している。
【０００８】
以下図１、図２、図３，図４に従って本発明の動作の一例を説明する。
【０００９】
現在冷却開始前であり冷却容器（５）は収縮した状態であり冷却対象（４）を搭載した状態である。リザーバータンク（１１）には上限まで冷却液（１３）が満たされている。初めの動作として吸水用ポンプ（２）が動作し冷却液（１３）を冷却容器（５）に送り込む。このとき水量調節弁（１）は予め設定されている最小水量を絞り込んだ状態とする。設定される最小水量とはポンプ（２）が動作して冷却液（１２）を冷却容器（５）に送った場合、冷却液（１３）で冷却容器（５）をいっぱいに膨らますことが出来る圧力を保つ弁の解放量を示す。冷却液（１２）は導水用パイプ（３）を経由し導水用集合パイプ（８）へ移動する。導水用パイプ（３）から導水用集合パイプ（８）に冷却液（１２）が移動する。導水用集合パイプ（８）は均等に冷却容器（５）に分岐しているので冷却液（１２）は均等に冷却容器（５）に流入していく。水量調節弁（１）の作用により、冷却容器（５）は水枕のように収縮可能な材質で出来ており、流入してきた冷却液（１３）は冷却容器（５）にたまり冷却容器（５）が膨張する。この状態で図３の押さえ板（１３）を下方に押し下げる。冷却容器（５）の上部は冷却対象（４）より突き出ており押さえ板（１３）で下方に押されることにより図４の冷却容器（５）の様に形状が変形しての冷却対象（４）に密着する。導水用パイプ（３）、導水用集合パイプ（８）、排水用集合パイプ（６）、排水パイプ（７）は変形しない金属等の素材で出来ている物とする。
【００１０】
次に冷却液（１２）は排水用集合パイプ（６）を通り排水用パイプ（７）に誘導される。その後、冷却液（１２）は冷却フィン（９）と冷却ファンにより冷却され、リザーバータンク（１１）に移動する。吸水用ポンプ（２）の発生する圧力と排水弁（１１）の排水量のバランスが取れた水量で、この後は、この循環を繰り返し、冷却対象（４）を継続的に冷却する。
【００１１】
情報処理装置等に搭載されているハードディスク装置等の記憶装置は障害が発生した場合に情報処理装置の電源を落とすことなく活栓挿抜が可能になっており電源が入ったまま引き抜くことが出来るが、その場合には冷却対象（４）から冷却容器（５）の密着をとき、離れた状態にする必要がある。次に冷却対象（４）を取り外す場合について述べる。押さえ板（１６）を上方へ移動する。押される力がなくなった冷却容器（５）は図３の元の形状に戻り密着していた冷却対象（４）から離れるため冷却対象（４）を情報処理装置の電源を停止することなく冷却容器（５）をＨＤＤ等の冷却対象（４）から離すことが出来、冷却対象を取り外すことが出来る。
【００１２】
【発明の効果】
液冷方式で冷却する場合、冷却対象に熱を奪う冷却容器を接触させて熱を冷却液に伝達し移動させるが、この冷却容器が冷却対象に接触しているため容易に冷却対象を取り外すことが出来ない。本発明を用いれば冷却容器を収縮、変形可能な素材で実現でき、それを収縮、変形させることにより容易に冷却対象を取り外すことが出来る。
【図面の簡単な説明】
【図１】冷却対象を搭載した装置を上方から見た図。
【図２】冷却液を溜めるためのリザーバータンク。
【図３】冷却対象を搭載した装置を正面から見た図。
【図４】冷却対象を搭載した装置を正面から見た図。
【符号の説明】
１…水量調節弁、２…ポンプ、３…導水用パイプ、４…冷却対象、５…冷却容器、６…排水用集合パイプ、７…排水パイプ、８…導水用集合パイプ、９…冷却フィン、１０…冷却ファン、１１…リザーバータンク、１２…上限センサー、１３…冷却液、１４…排水用弁、１５…吸水用弁、１６…押さえ板。
【図１】
2004353988.tif 000003
【図２】
2004353988.tif 000004
【図３】
2004353988.tif 000005
【図４】
2004353988.tif 000006